(57)【要約】      （修正有）【課題】撮影レンズを取り外す際に、撮影レンズの収差を補正した画像の動画像表示から収差補正を行なわない動画像表示に切り換えても、カメラが故障をしたとの誤解を与えない撮像装置を提供する。【解決手段】収差情報を記憶するレンズ情報記憶部１０７、撮影レンズ１０１により結像した画像を第１画像データに変換する撮像部１１３と収差情報に基づいて収差が軽減された第２画像データを生成する画像処理部１１６と、撮影レンズ１０１が撮像装置本体１０２から取り外されるときに、表示部１１９に表示する第２画像を第１画像に切り換えても、画像の変化がユーザーによって認識されない程度に、第１画像の結像状態が劣化したことを検出するための撮影レンズ結像状態検出部を備え、表示部１１９は、少なくとも撮影レンズ結像状態検出部によって第１画像の結像状態が劣化したことが検出されるまで第２画像を継続して表示し、その後第１画像を表示する。【選択図】図１
2011049826.tif 000002
【特許請求の範囲】
【請求項１】
撮像装置本体に着脱可能な撮影レンズにより結像された画像の収差を電子的に補正して表示する撮像装置において、
撮像装置本体に着脱可能であって収差情報を記憶する収差情報記憶部を有する撮影レンズと、
前記撮像装置本体に配設され、前記撮影レンズにより結像した画像を第１画像データに変換する撮像部と、
前記撮像装置本体に配設され、前記収差情報に基づいて収差が軽減された第２画像データを生成する画像処理部と、
前記撮像装置本体に配設され、前記第１画像データによって表わされる第１画像又は前記第２画像データによって表わされる第２画像を表示する画像表示部と、
前記撮影レンズが前記撮像装置本体から取り外されるときに、前記画像表示部に表示される画像を前記第２画像から前記第１画像に切り換えても、該切り換えの前後で画像の変化がユーザーによって認識されない程度に、前記第１画像の結像状態が劣化したことを検出するための撮影レンズ結像状態検出部と、
を備え、
前記画像表示部は、少なくとも前記撮影レンズ結像状態検出部によって前記第１画像の結像状態が劣化したことが検出されるまで前記第２画像を継続して表示し、その後前記第１画像を表示することを特徴とする撮像装置。
【請求項２】
前記撮影レンズが前記カメラ本体から取り外されないようにロックするロック部と、該ロック部を解除するためのレンズ着脱部と、該レンズ着脱部のロック解除動作に連動して動作するレンズ着脱部連動スイッチと、該レンズ着脱部連動スイッチの動作に基づいて該レンズ着脱部による前記ロック解除動作が検出されてから所定時間が経過しているかどうかを検出するタイマーとをさらに備え、前記撮影レンズ結像状態検出部は前記タイマーにより前記所定時間が経過しているか否かによって、前記第１画像の結像状態の劣化度を検出することを特徴とする請求項１記載の撮像装置。
【請求項３】
前記撮影レンズ結像状態検出部は、レンズマウントのマウント面、又はボディマウントのマウント面との接合状態を検出することによって、前記第１画像の結像状態が劣化したことを検出するものであることを特徴とする請求項１に記載の撮像装置。
【請求項４】
前記撮影レンズ結像状態検出部は、レンズマウントのマウント面、又はボディマウントのマウント面の一方のマウント面から光軸方向に沿って伸縮自在に設けられた第１接点と、他方のマウント面に設けられた第２接点が接触状態から非接触状態に変化してから、所定時間が経過したか否かを検出することにより、前記レンズマウントのマウント面、又は前記ボディマウントのマウント面との接合状態を検出するものであることを特徴とする請求項３に記載の撮像装置。
【請求項５】
前記撮影レンズと前記撮像装置本体との間で通信を行なうために設けられた通信用接点を有し、前記撮影レンズ結像状態検出部は、前記通信用接点を介して前記撮影レンズと前記撮像装置本体との間で通信が可能か否かを判断し、該通信が不可能と判断してから所定時間が経過したか否かを検出することにより、前記レンズマウントのマウント面、又は前記ボディマウントのマウント面との接合状態を検出するものであることを特徴とする請求項３に記載の撮像装置。
【請求項６】
撮像装置本体に着脱可能な撮影レンズにより結像された画像の収差を電子的に補正して表示する撮像方法において、
撮像部により、前記撮影レンズにより結像した画像を第１画像データに変換するステップと、
画像処理部により、前記収差情報に基づいて収差が軽減された第２画像データを生成するステップと、
画像表示部により、前記第１画像データによって表わされる第１画像又は前記第２画像データによって表わされる第２画像を表示するステップと、
撮影レンズ結像状態検出部により、前記撮影レンズが前記撮像装置本体から取り外されるときに、前記画像表示部に表示される画像を前記第２画像から前記第１画像に切り換えても、該切り換えの前後で画像の変化がユーザーによって認識されない程度に、前記第１画像の結像状態が劣化したことを検出するステップと、
を有し、
前記画像表示部は、少なくとも前記撮影レンズ結像状態検出部によって前記第１画像の結像状態が劣化したことが検出されるまで前記第２画像を継続して表示し、その後前記第１画像を表示することを特徴とする撮像方法。
【発明の詳細な説明】
【技術分野】
【０００１】
本発明は、撮像装置本体に着脱可能な撮影レンズを用いて動画像を撮影するとともに、この動画像の収差を画像処理により軽減して表示する撮像装置、及び撮像方法に関する。
【背景技術】
【０００２】
撮像装置本体に着脱可能な撮影レンズの内部に配設された不揮発性メモリ（以下「レンズＲＯＭ」と称する）に、撮影レンズに固有の収差情報を記憶しておき、撮像された画像の収差を上記収差情報に基づいて補正して、この収差が補正された画像をモニター表示したり記録媒体に記録するデジタルカメラやデジタルビデオカメラ等の撮像装置（以下単に「カメラ」と称する）が知られている。なお、モニター表示とは、撮影動作と実質的に同時に動画像をモニターに表示することを意味するものとする。
【０００３】
図１０は、撮影レンズとカメラ本体の互換性について説明するための図である。同図において、デジタル一眼レフカメラ（以下「ＤＳＬＲ」と称する）本体１００１は、撮影レンズを透過した光線をファインダーに導くための反射ミラーを有している。そして、静止画又は動画撮影用の主撮像素子とは別に、反射ミラーによって反射された被写体光線が結像する位置に副撮像素子を配置して、この副撮像素子により撮影待機中のモニター表示のための撮影を行なうものも実用化されている。
【０００４】
一方、デジタル一眼カメラ（以下「ＤＳＬ」と称する）本体１００２は、静止画又は動画撮影用の主撮像素子により撮影待機中のモニター表示のための撮影も行なうことにより、反射ミラーを廃している。このため、ＤＳＬにおいては、フランジバック（レンズマウントのマウント面から、撮像素子面までの距離）をＤＳＬＲに比べて短く設計することができ、カメラを小型化できる。ＤＳＬＲレンズ１００３は、主にＤＳＬＲ用に使用される交換レンズであり、撮影レンズ内部の不揮発性メモリに、撮影レンズに固有の焦点距離などの情報が記憶されている。
【０００５】
ＤＳＬＲレンズ１００３をＤＳＬ本体１００２に装着して使用する場合は、アダプター１００４を介してＤＳＬ本体１００２に装着される。ＤＳＬＲレンズ１００３とＤＳＬ本体１００２はアダプター１００４を介して通信が可能となっている。マニュアルフォーカスレンズ１００５は、通常はＤＳＬＲにもＤＳＬにも使用されないもので、例えばオートフォーカス機能を有していない銀塩カメラに使用されるような撮影レンズである。マニュアルフォーカスレンズ１００５をＤＳＬＲ本体１００１に装着する場合は、アダプター１００６を装着する。また、マニュアルフォーカスレンズ１００５をＤＳＬ本体１００２に装着する場合は、アダプター１００７を装着する。ＤＳＬレンズ１００８は、ＤＳＬ専用の撮影レンズであり、撮影レンズ内部に撮影レンズに固有の焦点距離や収差情報などの各種情報が記憶されている。
【０００６】
以上説明したような、撮影レンズとカメラの組み合わせにおいて、ＤＳＬＲレンズ１００３をＤＳＬＲ本体１００１に装着して使用して使用する場合は、通常、ファインダーを介して光学的な手段により被写体像が観察される。一方、ＤＳＬレンズ１００８をＤＳＬ本体１００２に装着して使用する場合は、主撮像素子を兼用してモニター表示用の画像が撮像される。一般に、ＤＳＬにおいてはＤＳＬＲに比べて撮影レンズを小型化するため、収差補正のためのレンズの枚数に制限があり、レンズ設計の自由度が相対的に少ないので歪曲収差などの収差が大きくなり易い。一方、画質の高性能化が求められるので、ＤＳＬにおいては、ＤＳＬ本体１０１とＤＳＬレンズ１００８との通信により、ＤＳＬレンズ１００８からＤＳＬレンズ固有の収差情報を受信して、ＤＳＬ本体１００２において撮影した画像の収差を軽減するための画像処理が行なわれる。この画像処理が施された画像が、ＤＳＬ本体１００２の背面などに配置されたモニターに表示される。ＤＳＬにおいては、このようにして小型で高画質のカメラを実現している。
【０００７】
図１１は、ＤＳＬＲレンズ１００３をＤＳＬＲ本体１００１から取り外す前後の動作の概要を示すフローチャートである。同図において、カメラ動作をスタートするとステップＳ１１１にて通常のシーケンスが行なわれる。ステップ１１１において、ＤＳＬＲ本体１００１にＤＳＬＲレンズ１００３が装着されていること、及び撮影モード（撮影された画像を再生する再生モードに対するモードで、撮影モードにおいては撮影した画像が記録媒体に記録される）が選択されていることを示すフラグが設定され、モニターに収差補正が施されていない撮影待機中の被写体の動画像が表示される。ステップＳ１１２において、ＤＳＬＲレンズ１００３がＤＳＬＲ本体１００１から取り外されたか否かが判定され、ＤＳＬＲレンズ１００３がＤＳＬＲ本体１００１から取り外されていない場合は、上述したステップＳ１１１の動作が継続される。ステップＳ１１２において、ＤＳＬＲレンズ１００３がＤＳＬＲ本体１００１から取り外れたと判定されると、つぎにステップ１１３において、ＤＳＬＲ本体１００１にＤＳＬＲレンズ１００３が未装着であること、及び撮影モードが選択されていることを示すフラグが設定され、モニターに収差補正が施されていない撮影待機中の動画像が表示される。
【０００８】
図１２は、ＤＳＬにおける、ＤＳＬレンズ１００８をＤＳＬ本体１００２から取り外す前後の動作の概要を示すフローチャートである。同図において、カメラ動作をスタートするとステップＳ１２１において、ＤＳＬ本体１００２にＤＳＬレンズ１００８が装着されていること、及び撮影モードが選択されていることを示すフラグが設定され、モニターに収差補正が施された撮影待機中の動画像が表示される。ステップＳ１２２において、ＤＳＬレンズ１００８がＤＳＬ本体１００２から取り外されたか否かが判定され、ＤＳＬレンズ１００８がＤＳＬ本体１００２から取り外されていない場合は、ステップＳ１２３において、モニター表示に供される画像に対する収差補正が終了する。次に、ステップＳ１２４において、ＤＳＬ本体１００２にＤＳＬレンズ１００８が未装着であること、及び撮影モードが選択されていることを示すフラグが設定され、モニターには収差補正が施されていない撮影待機中の動画像が表示される。
【先行技術文献】
【特許文献】
【０００９】
【特許文献１】特開２００７−５９１２号公報
【発明の概要】
【発明が解決しようとする課題】
【００１０】
一般に、カメラ本体から撮影レンズが取り外されたことが検出された直後においては、通常の撮影が可能な状態にある。例えば、撮影レンズをカメラ本体にロックするロックボタンを設け、このロックボタンを手動操作により解除する動作に連動したスイッチのオン／オフを検出することによって、カメラ本体から撮影レンズが取り外されたかどうかが電気的に検出される。このような構成においては、ロックボタンを解除しただけの状態では、撮影レンズはカメラ本体に装着されたままであり、通常撮影が可能な状態にある。図１１のフローチャートを基に説明したＤＳＬＲの動作においては、撮影した画像に対して収差補正を行なっていないので、ＤＳＬＲレンズをＤＳＬＲ本体から取り外す前後において、モニター表示される動画像に大きな変化は認識されない。しかし、図１２のフローチャートを基に説明したＤＳＬの動作においては、ＤＳＬレンズをＤＳＬ本体から取り外す前後において、モニター表示される画像が収差補正された画像から収差補正が施されていない画像に突然切り換わるので、ユーザーはカメラが故障したものと誤解してしまうおそれがあった。
【００１１】
この課題を解決するために、ＤＳＬレンズがＤＳＬ本体から取り外されたことを検出した後は、モニター表示を自動的にオフにすることも考えられる。しかし、このようにすると、モニター表示再開のための面倒な操作が必要になるなどの不都合から、撮影レンズをカメラ本体から取り外した後も、少なくとも撮影レンズ交換などの一定の操作に必要な時間はモニター表示を継続しておきたいというニーズが少なくない。
【００１２】
また上記課題を解決するために、撮影レンズがカメラ本体に装着されたことが検出される毎に、収差情報を更新し、この情報に基づいた画像表示を行なうようにすることも考えられる。しかしカメラ本体は、上述したように過去に生産されたほとんどすべての撮影レンズを使用できるようになっており、すべての撮影レンズに対して、撮影レンズがカメラ本体に装着されたことを確実に検出するのは難しい。
【００１３】
本発明は、上述した事情に鑑みてなされたものであり、撮影レンズをカメラ本体から取り外す際に、撮影レンズの収差を補正した画像の表示から収差補正を行なわない画像の表示に切り換えても、ユーザーに対してカメラが故障をしたものとの誤解を与えない撮像装置、及び撮像方法を提供することを目的とする。
【課題を解決するための手段】
【００１４】
上述した課題を解決するために、本願請求項１に係る発明は、撮像装置本体に着脱可能な撮影レンズにより結像された画像の収差を電子的に補正して表示する撮像装置において、撮像装置本体に着脱可能であって収差情報を記憶する収差情報記憶部を有する撮影レンズと、前記撮像装置本体に配設され、前記撮影レンズにより結像した画像を第１画像データに変換する撮像部と、前記撮像装置本体に配設され、前記収差情報に基づいて収差が軽減された第２画像データを生成する画像処理部と、前記撮像装置本体に配設され、前記第１画像データによって表わされる第１画像又は前記第２画像データによって表わされる第２画像を表示する画像表示部と、前記撮影レンズが前記撮像装置本体から取り外されるときに、前記画像表示部に表示する画像を前記第２画像から前記第１画像に切り換えても、該切り換えの前後で画像の変化がユーザーによって認識されない程度に、前記第１画像の結像状態が劣化したことを検出するための撮影レンズ結像状態検出部と、を備え、前記画像表示部は、少なくとも前記撮影レンズ結像状態検出部によって前記第１画像の結像状態が劣化したことが検出されるまで前記第２画像を継続して表示し、その後前記第１画像を表示することを特徴とする。
【００１５】
また、本願請求項２に係る発明は、前記請求項１に係る発明において、前記撮影レンズが前記カメラ本体から取り外されないようにロックするロック部と、該ロック部を解除するためのレンズ着脱部と、該レンズ着脱部のロック解除動作に連動して動作するレンズ着脱部連動スイッチと、該レンズ着脱部連動スイッチの動作に基づいて該レンズ着脱部による前記ロック解除動作が検出されてから所定時間が経過しているかどうかを検出するタイマーとをさらに備え、前記撮影レンズ結像状態検出部は前記タイマーにより前記所定時間が経過しているか否かによって、前記第１画像の結像状態の劣化度を検出することを特徴とする。
【００１６】
また、本願請求項３に係る発明は、前記請求項１に係る発明において、前記撮影レンズ結像状態検出部は、レンズマウントのマウント面,又はボディマウントのマウント面との接合状態を検出することによって、前記第１画像の結像状態が劣化したことを検出するものであることを特徴とする。
【００１７】
また、本願請求項４に係る発明は、前記請求項３に係る発明において、前記撮影レンズ結像状態検出部は、レンズマウントのマウント面、又はボディマウントのマウント面の一方のマウント面から光軸方向に沿って伸縮自在に設けられた第１接点と、他方のマウント面に設けられた第２接点が接触状態から非接触状態に変化してから、所定時間が経過したか否かを検出することにより、前記レンズマウントのマウント面,又は前記ボディマウントのマウント面との接合状態を検出するものであることを特徴とする。
【００１８】
また、本願請求項５に係る発明は、前記請求項３に係る発明において、前記撮影レンズと前記撮像装置本体との間で通信を行なうために設けられた通信用接点を有し、前記撮影レンズ結像状態検出部は、前記通信用接点を介して前記撮影レンズと前記撮像装置本体との間で通信が可能か否かを判断し、該通信が不可能と判断してから所定時間が経過したか否かを検出することにより、前記レンズマウントのマウント面、又は前記ボディマウントのマウント面との接合状態を検出するものであることを特徴とする。
【００１９】
本願請求項６に係る発明は、撮像装置本体に着脱可能な撮影レンズにより結像された画像の収差を電子的に補正して表示する撮像方法において、撮像部により、前記撮影レンズにより結像した画像を第１画像データに変換するステップと、画像処理部により、前記収差情報に基づいて収差が軽減された第２画像データを生成するステップと、画像表示部により、前記第１画像データによって表わされる第１画像又は前記第２画像データによって表わされる第２画像を表示するステップと、撮影レンズ結像状態検出部により、前記撮影レンズが前記撮像装置本体から取り外されるときに、前記画像表示部に表示される画像を前記第２画像から前記第１画像に切り換えても、該切り換えの前後で画像の変化がユーザーによって認識されない程度に、前記第１画像の結像状態が劣化したことを検出するステップと、を有し、前記画像表示部は、少なくとも前記撮影レンズ結像状態検出部によって前記第１画像の結像状態が劣化したことが検出されるまで前記第２画像を継続して表示し、その後前記第１画像を表示することを特徴とする。
【発明の効果】
【００２０】
本発明によれば、撮影レンズをカメラ本体から取り外す際に、撮影レンズの収差を補正した画像の表示から収差補正を行なわない画像の表示に切り換えても、ユーザーに対してカメラが故障をしたものとの誤解を与えない動画像表示を行なう撮像装置、及び撮像方法を提供することができる。
【図面の簡単な説明】
【００２１】
【図１】本発明の第１の実施形態における撮像装置の構成を示すブロック図である。
【図２】本発明の第１の実施形態における撮像装置本体を正面から見た外観図である    。
【図３】本発明の第１の実施形態におけるレンズ着脱ボタン及び、レンズ着脱ピンの    構成を示す断面図である。
【図４】本発明の第１の実施形態におけるＤＳＬレンズをＤＳＬ本体から取り外すと    きの動作の流れを示すフローチャートである。
【図５】本発明の第１の実施形態におけるアダプターを介してＤＳＬ本体に装着され    たＤＳＬＲレンズをＤＳＬ本体から取り外すときの動作の流れを示すフローチャート    である。
【図６】本発明の第１の実施形態における撮影レンズをＤＳＬ本体に装着する前後の    動作の流れを示すフローチャートである。
【図７】本発明の第２の実施形態における撮影レンズ検出部の構成を示す図である。
【図８】本発明の第２の実施形態におけるＤＳＬレンズをＤＳＬ本体から取り外すと    きの動作の流れを示すフローチャートである。
【図９】本発明の第３の実施形態におけるＤＳＬレンズをＤＳＬ本体から取り外すと    きの動作の流れを示すフローチャートである。
【図１０】従来技術を説明するための撮影レンズとカメラ本体との互換性を説明する    ための図である。
【図１１】従来技術の動作の概要を示すフローチャートである。
【図１２】従来技術の動作の概要を示すフローチャートである。
【発明を実施するための形態】
【００２２】
以下、図面を参照して本発明の実施の形態を説明する。
本発明の実施の形態においては、通常のデジタルカメラと同様の動作及び制御技術については説明を省略、又は詳細な説明を省略する。
【００２３】
（実施形態１）
図１から図６は本発明の第１の実施形態を示したものである。
【００２４】
図１はカメラシステム１００全体のブロック構成図である。図中１０１はカメラ本体１０２に着脱可能な撮影レンズであり、図１０のＤＳＬレンズ１００８に相当するものである。また、カメラ本体１０２は図１０のＤＳＬ本体１００２に相当するものである。撮影レンズ１０１には、撮影倍率を変更可能なズームレンズ１０３と、ズームレンズ１０３の後方（ＤＳＬ本体側）に配置された絞り１０４と、絞り１０４の後方に配置されたフォーカスレンズ１０５と、ズームレンズ１０３、絞り１０４、及びフォーカスレンズ１０５のそれぞれを独立に駆動するためのレンズ／絞り駆動部１０６と、撮影レンズ１０１に固有の収差情報や撮影レンズ１０１を識別するための情報などが記憶されたレンズ情報記憶部１０７が配置されている。
【００２５】
カメラ本体１０２は、ＲＯＭ１２３に予め記憶されたプログラムに従ってカメラシステム１００の全体を統括的に制御するカメラ制御部１０８と、撮影レンズ１０１がカメラ本体１０２に装着されると、レンズ着脱ボタン２０４（図２参照）の押し込み動作に連動して閉じるレンズ着脱ボタン連動スイッチ１０９と、撮影レンズ１０１がカメラ本体１０２に装着されているか否かを検出する撮影レンズ検出部１１０と、撮影モードや再生モードなどのモード設定や、レリーズ操作などを各種操作を行なうためのカメラ操作部１１１と、露光時間を制御するためのシャッタ１１２と、撮像素子とこの撮像素子により生成された画像信号に対してＣＤＳ（相関ニ重サンプリング）、Ａ／Ｄ変換、色分離、同時化等の種々の信号処理を行なって画像データを生成するための信号処理回路を含む撮像部１１３と、撮像部１１３により生成された画像データの高周波成分を利用して焦点検出を行なうためのＡＦ処理部１１４と、撮像部１１３によって生成された画像データに対して、撮影レンズ１０１のレンズ情報記憶部１０７に記憶された収差情報に基づいて収差を軽減するための画像処理を施すための、画像処理部１１５内に設けられた収差補正処理部１１６と、デジタル映像・音声入出力インターフェースであるＨＤＭＩ（High-Definition Multimedia Interface）１１７と、画像処理部１１５によって生成されたデジタル映像・音声信号をＨＤＭＩ１１７を介して受信して表示するＨＤＴＶ（High-Definition ＴＶ）１１８と、画像処理部１１５によって生成されたデジタル映像信号を表示するための表示部１１９と、この表示部１１９を構成するカメラ本体１０２の背面に設けられた背面液晶１２０と、表示部１１９を構成する覘き式のＥＶＦ（Electric View Finder１２１）と、画像処理部１１５によって生成されたデジタル映像・音声信号を記録するためのメモリカード１２２とを有して構成されている。
【００２６】
なお、図１の中で、撮影レンズ検出部１１０は後述する本発明の第２の実施形態にのみ係わるものであり、これについては本発明の第２の実施形態に関するところで詳細に説明する。
【００２７】
図２はカメラ本体１０２を正面から見た外観図である。同図において、他の図面と同一の構成については同一の番号を付している。カメラ本体１０２の上面には図１に示すカメラ操作部１１１を構成する操作部材のひとつであるレリーズボタン２０１と、人工照明を行なうフラッシュ２０２と、撮影レンズ１０１側のバヨネット方式のレンズマウント３０６（図３参照）と接合するボディマウント２０３と、撮影レンズ１０１をカメラ本体１０２に対して着脱するためのレンズ着脱ボタン２０４、ボディマウント２０３のマウント面に配置され、レンズ着脱ボタン２０４の押し込み動作に連動して撮影レンズ１０１の光軸方向に沿って摺動可能になっているレンズ着脱ピン２０５と、撮影レンズ１０１とカメラ本体１０２との間で情報の授受を行なうための接点である通信用接点２０６とが配置されている。なお、撮影レンズ１０１側には通信用接点２０６と対をなすレンズ情報交信用接点（不図示）が配置されている。
【００２８】
図３は、図２に示すＡ−Ｂの断面をカメラ本体１０２の底面側から見た図である。同図において、他の図面と同一の構成については同一の番号を付している。同図において、紙面の上下方向が撮影レンズ１０１の光軸に沿った方向である。右上から左下方向に斜線が施された部材であるレンズ着脱ピン２０５は、ボディマウント２０３、カメラ本体１０２に固定されたガイド板３０２を貫通して図面の上下に摺動可能になっている。レンズ着脱ピン２０５はバネ３０１によってボディマウント２０３の下面に一定の応力で接している。一方、左上から右下方向に斜線が施された部材であるレンズ着脱ボタン２０４は、カメラ本体１０２前面を保護する前板３０３、及びカメラ本体１０２に固定されたガイド板３０５を貫通して図面の下面方向に摺動可能になっている。また、レンズ着脱ボタン２０４はバネ３０４によって前板３０３の下面に一定の応力で接している。また、レンズ着脱ボタン２０４の下端はレンズ着脱ピン２０５の下端に形成された突出部の上面に当接している。
【００２９】
レンズ着脱ピン２０５は、バネ３０１により付勢されることにより、通常はボディマウント２０３のマウント面に対して突出している。撮影レンズ１０１をカメラ本体１０２に装着する初期段階においては、レンズ着脱ピン２０５はレンズマウント３０６のマウント面と接することによって、撮影レンズ１０１の光軸方向に沿って（図面の下側に）押し込まれる。さらに、撮影レンズ１０１を光軸中心に一定角度回転すると、レンズ着脱ピン２０５は撮影レンズ１０１のレンズマウント３０６のマウント面に形成された、レンズ着脱ピン２０５とほぼ同径の位置決め凹部３０７と係合して、撮影レンズ１０１がカメラ本体１０２に対して位置決め（ロック）されるようになっている。この状態でレンズ着脱ボタン２０４を押し込むと、レンズ着脱ピン２０５はこの押し込み動作に連動して撮影レンズ１０１に光軸に沿って図面の下面方向に摺動し、撮影レンズ１０１とカメラ本体１０２との位置決めが解除される。さらに撮影レンズ１０１をカメラ本体１０２に装着するときとは反対方向に回転すると、撮影レンズ１０１がカメラ本体１０２から取り外される。また、レンズ着脱ボタン２０４を押し込むと、カメラ本体１０２に配設されたレンズ着脱ボタン連動スイッチ１０９が閉じるようになっている。レンズ着脱ボタン連動スイッチ１０９の一方の切片ａは電源Ｖｃｃに接続され、他方の切片ｂは抵抗３０８を介して接地されるとともに、カメラ制御部１０８に接続されている。
【００３０】
次に、本発明の第１の実施形態の動作を図４〜図６を参照しながら説明する。
なお、図４〜図６の動作は、特に明示しない限り、カメラ制御部１０８に内蔵されたＲＯＭ（Read Only Memory）に記憶されたプログラムに基づいてカメラ制御部１０８により統括的に制御されるものである。
図４に、ＤＳＬレンズ（撮影レンズ１０１）をＤＳＬ本体（カメラ本体１０２）から取り外すときの動作の流れを示す。ステップ４０１においては、ＤＳＬ本体にＤＳＬレンズが装着されていること、及び撮影モードが選択されていることを示すフラグが設定される。また、撮影した画像データに対して、収差補正処理部１１６において、収差情報に基づいて画像の収差を軽減するための収差補正処理が行なわれる。収差には主にレンズの形状に起因する５種類の単色収差である、球面収差、コマ収差、非点収差、像面湾曲、歪曲収差と、色収差があるがレンズ情報記憶部１０７にはこれらの種類に応じた各種収差情報が記憶されている。ステップＳ４０１においては、レンズ情報記憶部１０７から受信した収差情報に基づいて、これらの各種収差の種類に応じた収差補正が行なわれる。また、ステップＳ４０１においては、表示部１１９に収差補正が施された撮影待機中の動画像が表示される。次に、ステップＳ４０２において、レンズ着脱ボタン連動スイッチ１０９がオン（閉じて）いるか否かが判定される。ステップＳ４０２にて、レンズ着脱ボタン連動スイッチ１０９がオンしていないと判定された場合は、ステップ４０１の動作を繰り返す。
【００３１】
ステップＳ４０２にて、レンズ着脱ボタン連動スイッチ１０９がオンしていると判定された場合は、カメラ制御部１０８に内蔵のタイマー１２４をスタートさせる。つぎにステップＳ４０４において、ステップＳ４０３におけるタイマースタートから所定時間（Ｔ０）が経過したか否かが判定される。この所定時間Ｔ０は、レンズ着脱ボタン２０４が押し込まれ、レンズ着脱ボタン連動スイッチ１０９が閉じたことが検出された時点（この時点においては収差補正された画像が表示部１１９に表示されている）から、撮影レンズ１０１がカメラ本体１０２から取り外され、もはや画像に対して収差補正がされたか否かの判別ができなくほど撮影レンズ１０１による画像の結像状態が悪くなるまでの時間よりも長い時間である。このような状態で収差補正が施されない画像を表示しても、ユーザーはカメラが故障したものと誤解することがない。
【００３２】
Ｔ０が短か過ぎると、実質的に撮影レンズ１０１がカメラ本体１０２に取り付けられ、被写体像が撮像素子に正常に結像した状態にあり、表示部１１９に画像がほぼ通常通りに表示された状態で収差補正が施された画像から収差補正が施されない画像に変化するので、ユーザーはカメラが故障したものと誤解するおそれがある。この収差補正が切り換わる前後の画像の変化は、収差の大きい撮影レンズほど大きいので、上記所定時間Ｔ０は、撮影レンズごとに実験的に求めてこの値をレンズ情報記憶部１０７に記憶しておいてもよい。所定時間Ｔ０が長過ぎると、次に種々の撮影レンズを取り付けた場合に、誤った収差補正を行なって画像を表示する可能性がある。通常Ｔ０は３〜５秒程度あれば十分である。
【００３３】
ステップＳ４０４において、所定時間（Ｔ０）が経過したと判定された場合は、次に、ステップＳ４０５にて、レンズ着脱ボタン連動スイッチ１０９がオフ（開いて）いるか否か判定される。これは、レンズ着脱ボタン２０４を押し込んでも、撮影レンズ１０１を取り外すことなくレンズ着脱ボタン２０４から手を離す場合もあり得るので、ユーザーのこの動作を検出するためのものである。ステップＳ４０５にて、レンズ着脱ボタン連動スイッチ１０９がオフしていると判定した場合は、再びステップＳ４０１から上述した動作を繰り返し行なう。ステップＳ４０５にて、レンズ着脱ボタン連動スイッチ１０９がオフしていないと判定された場合は、次に、ステップＳ４０６にて、収差補正処理を終了する。次に、ステップＳ４０７において、ＤＳＬ本体からＤＳＬレンズが取り外されたこと、及び撮影モードが選択されていることを示すフラグが設定され、表示部１１９に収差補正が施されない撮影待機中の動画像が表示される。
【００３４】
なお、図４においてステップＳ４０２からステップＳ４０４は、表示部１１９に表示する画像を収差補正が施された画像（第２画像）から収差補正される前の画像（第１画像）に切り換えても、この切り換えの前後で画像の変化がユーザーによって認識されない程度に、収差補正される前の画像の結像状態が劣化したか否かを判断するものということができる。したがって、ステップＳ４０２からステップＳ４０４の動作に係わる、レンズ着脱ボタン連動スイッチ１０９及びカメラ制御部１０８は撮影レンズ結像状態検出部に相当する。
【００３５】
図４の動作においては、レンズ着脱ボタン２０４が押し込まれレンズ着脱ボタン連動スイッチ１０９がオンして所定時間Ｔ０が経過した後に、収差補正されない画像が表示部１１９に表示されるので、収差補正が施された画像表示から収差補正が施されない画像への切り換えがユーザーによって認識されない。したがって、ユーザーは、収差補正が施された画像表示から収差補正が施されない画像への切り換えを行なっても、カメラが故障したものと誤解することがない。
【００３６】
図５に、アダプター１００４を介してカメラ本体１０２に装着されたＤＳＬＲレンズ１００３を、カメラ本体１０２から取り外すときの動作の流れを示す。ステップ５０１においては、カメラの動作状態として、カメラ本体１０２にアダプター１００４を介して撮影ＤＳＬＲレンズ１００３が装着され、撮影モードが選択され、表示部１１９に収差補正が施されていない撮影待機中の動画像が表示されている。なお収差補正を施さないないのは、ＤＳＬＲレンズ１００３は光学ファインダーを使用する（電子的な補正を行なわない）前提で作られているので、一般に収差が小さいためである。次に、ステップＳ５０２において、レンズ着脱ボタン連動スイッチ１０９がオン（閉じて）しているか否かが判定される。ステップＳ５０２にて、レンズ着脱ボタン連動スイッチ１０９がオンしていないと判定された場合は、ステップ４０１の動作を繰り返す。ステップＳ４０２にて、レンズ着脱ボタン連動スイッチ１０９がオンしていると判定された場合は、次に、ステップＳ５０３において、ＤＳＬ本体からＤＳＬＲレンズが取り外されたこと、及び撮影モードが選択されていることを示すフラグが設定され、表示部１１９に収差補正が施されていない動画像が表示される。
【００３７】
なお、マニュアルフォーカスレンズ１００５をアダプター１００７を介してカメラ本体１０２に装着して使用する場合の動作は、ステップＳ５０１においてＤＳＬＲレンズ１００３を認識する代わりに、マニュアルフォーカスレンズ１００５が装着されたものと認識する（マニュアルフォーカスレンズ１００５の場合はレンズ情報記憶部１０７を有していないので、撮影レンズ１０１との通信が出来ない場合はマニュアルフォーカスレンズと認識する）以外は、図５の動作と同じである。
【００３８】
図６に、種々の撮影レンズをカメラ本体１０２に装着する前後の動作の流れを示す。
ステップ６０１において、撮影レンズが未装着であること、及び撮影モードが選択されていることを示すフラグが設定され、表示部１１９に収差補正が施されない撮影待機中の動画像が表示される。
【００３９】
ステップＳ６０２において、撮影レンズとの交信が可能か否かが判定される。これはレンズ情報記憶部１０７から所定の情報を受信できたか否かによって判定される。撮影レンズとの交信ができない場合は、ステップＳ６０１の動作を繰り返す。ステップＳ６０２において、撮影レンズとの交信が可能と判定された場合は、次にステップＳ６０３において、レンズ情報記憶部１０７から受信した情報に基づいて、ＤＳＬＲレンズ１００３が装着されているか否かが判定される。ステップＳ６０３において、カメラ本体１０２にＤＳＬＲレンズ１００３が装着されていると判定された場合は、次に、ステップＳ６０４において、ＤＳＬＲレンズ１００３が装着されていること、及び撮影モードが選択されていることを示すフラグが設定され、表示部１１９に収差補正が施されない撮影待機中の動画像が表示される。ステップＳ６０３において、ＤＳＬＲレンズ１００３が装着されていないと判定された場合は、カメラ本体１０２にＤＳＬレンズ１００８（撮影レンズ１０１）が装着されているものと認識し、ステップＳ６０５において、レンズ情報記憶部１０７から収差情報を取得する。
【００４０】
次に、ステップＳ６０６において、図４のステップ４０１と同様の動作が行なわれる。すなわち、カメラ本体１０２にＤＳＬレンズが装着されていること、及び撮影モードが選択されているいつことを示すフラグが設定される。また、撮影した画像データに対して、撮影レンズ１０１の各種収差の種類に応じた収差補正が行なわれる。また、表示部１１９に収差補正が施された撮影待機中の動画像が表示される。
【００４１】
本発明の第１の実施形態によれば、撮影レンズ１０１をカメラ本体１０２から取り外すための着脱ボタン連動スイッチ１０９のオン動作から、所定時間経過後に収差補正処理を終了して収差補正が施されない画像を表示するようにしたので、撮影レンズ１０１をカメラ本体１０２から取り外す際に、収差補正された画像から収差補正されない画像に切り換わったことがユーザーによって認識されることがない。すなわち、収差補正が施されなくなるのは、撮影レンズ１０１がＤＳＬ本体１０２に対して正常に装着されていない時点以降となるので、もはや画像に対して収差補正がされたか否かは判別ができなくなる。したがって、ユーザーに対してカメラが故障をしたものとの誤解を与えない撮像装置を提供することができる。
【００４２】
（第２の実施形態）
【００４３】
次に、本発明の第２の実施形態について説明する。本実施形態においては、本発明の第１の実施形態と同様の動作及び制御については説明を省略、又は詳細な説明を省略し、異なる部分を中心に説明することにする。
【００４４】
第１の実施形態においては、レンズ着脱ボタン２０４に連動するレンズ着脱ボタン連動スイッチ１０９のオン／オフを基に、撮影レンズ１０１がカメラ本体１０２から取り外されたか否かを検出するものでたあったのに対して、本実施形態においては、主に、撮影レンズ１０１がカメラ本体１０２から取り外されるのを直接的に検出するための撮影レンズ検出部１１０を設けた点が異なる。
【００４５】
図７は、本発明の第２の実施形態における撮影レンズ検出部１１０の構成を示す図である。同図において、他の図面と同一の構成については同一の番号を付している。抵抗７０１は導電性のレンズマウン３０６に接続されている。レンズマウント３０６は、ボディマウント２０３に装着された状態のとき、通信用接点２０６を介してカメラ本体１０２のグランドに接地されるようになっている。接点７０２は、導電性のレンズマウント３０６のマウント面に相当する。一方、接点７０３は、図３のレンズ着脱ピン２０５と同様に構成されており、ボディマウント２０３のマウント面に対して光軸方向に沿って摺動可能となっている。接点７０３は、撮影レンズ１０１がカメラ本体１０２から取り外されているときは、ボディマウント２０３のマウント面に対して所定の高さまで突出している。レンズマウント３０６のマウント面とボディマウント２のマウント面が所定間隔になると、接点７０２（レンズマウントのマウント面）と接点７０３は接触する。さらにレンズマウント３０６のマウント面とボディマウント２０３のマウント面を近づけると、接点７０３はボディマウント２０３のマウント面に対して光軸方向に沿って摺動し、両マウント面が密着する。つぎに、レンズマウント３０６がボディマウント２０３に対して所定位置に固定されるまでレンズマウント３０６を回動する。レンズマウント３０６がボディマウント２０３に固定されるまで、接点７０２と接点７０３は接触した状態を保持するようになっている。
【００４６】
接点７０３はＭＯＳトランジスタ７０４のゲートに接続されている。ＭＯＳトランジスタ７０４のゲート（Ｇ）は抵抗７０５を介してＶｃｃに接続されている。また、ＭＯＳトランジスタ７０４のドレイン（Ｄ）は抵抗７０６を介してＶｃｃに接続されて、ソース（Ｓ）はカメラ制御部１０８に接続されている。
【００４７】
このように構成された撮影レンズ検出部１１０において、撮影レンズ１０１がカメラ本体１０２に装着されてるときは、ＭＯＳトランジスタ７０４のゲートは抵抗７０１を介して接地されているので、ＭＯＳトランジスタ７０４はオンし、ＭＯＳトランジスタ７０４のソースの電位は高くなる。カメラ制御部１０８はこのソースの電位が高いことを検出することにより、撮影レンズ１０１がカメラ本体１０２に装着されていると判断する。
【００４８】
撮影レンズ１０１がカメラ本体１０２から取り外されると、接点７０２と接点７０３は非接触状態となるので、ＭＯＳトランジスタ７０４のゲートは高い電位となり、ＭＯＳトランジスタ７０４はオフする。ＭＯＳトランジスタ７０４のソースと接続されたカメラ制御部１０８側入力は高抵抗で接地されており、ＭＯＳトランジスタ７０４がオフしたときＭＯＳトランジスタ７０４のソースは低電位になる。したがって、カメラ制御部１０８は、トランジスタ７０４のソースが低電位になったことを検出することにより、撮影レンズ１０１がカメラ本体１０２から取り外されたことを検出することができる。
【００４９】
図８に、撮影レンズ１０１（ＤＳＬレンズ）をカメラ本体１０２から取り外すときの動作の流れを示す。図８の動作は、特に明示しない限り、カメラ制御部１０８に内蔵されたＲＯＭに記憶されたプログラムに従って、カメラ制御部１０８により統括的に制御されるものである。
【００５０】
ステップ８０１においては、カメラの動作状態として、カメラ本体１０２に撮影レンズ１０１が装着され、撮影モードが選択されている。ステップＳ８０１の詳細については、図４のステップ４０１と同様であるので説明を省略する。
【００５１】
次に、ステップＳ８０２において、レンズ着脱ボタン連動スイッチ１０９がオン（閉じて）しているか否かが判定される。ステップＳ８０２にて、レンズ着脱ボタン連動スイッチ１０９が閉じていないと判定された場合は、ステップ８０１の動作を繰り返す。
【００５２】
ステップＳ８０２にて、レンズ着脱ボタン連動スイッチ１０９がオンしていると判定された場合は、次にステップ８０３にて撮影レンズ１０１がカメラ本体１０２から取り外されたか否かが検出される。この検出は、図７のＭＯＳトランジスタ７０４のソースが低電位か否かによって判定される。ステップ８０３にて撮影レンズが取り外されていないと判定された場合、すなわち、ＭＯＳトランジスタ７０４のソースが高電位の場合は、ステップＳ８０４にてレンズ着脱ボタン連動スイッチ１０９がオフして（開いて）いるかどうかが判定される。レンズ着脱ボタン連動スイッチ１０９がオフしている場合は、ユーザーは撮影レンズ１０１をカメラ本体１０２から取り外そうとしたものの、途中で中止したことを意味するので、再びステップＳ８０１に戻る。ステップＳ８０４にて、レンズ着脱ボタン連動スイッチ１０９がオンしている場合はステップＳ８０３の動作を繰り返す。
【００５３】
ステップＳ８０３において、撮影レンズ１０１が取り外されたものと判定された場合、次にステップＳ８０５において、カメラ制御部１０８に内蔵のタイマー１２４をスタートさせる。つぎにステップＳ８０６においてステップＳ８０５のタイマースタートから所定時間（Ｔ１）が経過したか否か、すなわち、ステップＳ８０５のタイマースタートから所定時間（Ｔ１）が経過したかどうかが判定される。この所定時間Ｔ１は、ステップＳ８０３において撮影レンズ１０１が取り外されたものと判定されてから、収差補正を施さない画像を表示しても、このことがユーザーによって認識されないほど撮影レンズ１０１の結像状態が悪くなるまでの時間であり、ＲＯＭ１２３に予め記憶されているものである。ステップＳ８０６にて、所定時間Ｔ１が経過したことが検出されると、つぎにステップＳ８０７にて、収差補正処理を終了する。つぎにステップＳ８０８にて、カメラ本体１０２に撮影レンズ１０１が未装着状態であること、及び撮影モードが選択されていることを示すフラグが設定される。また、表示部１１９に収差補正が施されない動画像が表示される。
【００５４】
本実施形態においては、アダプター１００４を介してカメラ本体１０２に装着されたＤＳＬＲレンズ１００３をカメラ本体１０２から取り外すときの動作の流れ、及び撮影レンズ１０１をカメラ本体１０２に装着する前後の動作の流れは、それぞれ第１の実施形態の図５、図６と同様であるので説明を省略する。
【００５５】
なお、図８においてステップＳ８０３〜ステップＳ８０７は、収差補正が施された画像（第２画像）の表示から収差補正される前の画像（第１画像）の表示に切り換えても、この切り換えの前後で画像の変化がユーザーによって認識されない程度に、収差補正される前の画像の結像状態が劣化したか否かを検出するものであるということができる。したがって、ステップＳ８０３〜ステップＳ８０７の動作に係わる本実施形態における図７の構成、及びカメラ制御部１０８は撮影レンズ結像状態検出部に相当するものである。
【００５６】
また、本実施形態においては、接点７０２と接点７０３、及びカメラ制御部１０８は、レンズマウント３０６のマウント面、又はボディマウント２０３のマウント面との接合状態を検出する接合状態検出部であるということができる。
【００５７】
本発明の第２の実施形態においては、ボディマウント２０３ののマウント面に光軸方向に沿って摺動可能な接点７０３を設け、この接点７０３がレンズマウント３０６のマウント面と接触しているか否かによって、撮影レンズ１０１がカメラ本体１０２から取り外されたか否かを検出し、取り外されたと検出したときに収差補正を中止して収差補正が施されない画像を表示部１１９に表示する。したがって、本実施形態においては、撮影レンズ１０１がカメラ本体１０２から取り外されたことを直接的に検出することができるので、画像表示の切り換えのタイミングを精度よく行なうことができる。したがって、撮影レンズ１０１をカメラ本体１０２から取り外す際に、収差補正された画像から収差補正されない画像に切り換わったことがユーザーによって認識されることがないので、ユーザーに対してカメラが故障をしたものとの誤解を与えない動画像表示を行なうカメラを提供することができる。
【００５８】
［変形例］
撮影レンズ１０１がカメラ本体１０２から取り外されたことを直接的に検出するために、接点７０３をボディマウント２０３のマウント面から突出させ、光軸方向に沿って摺動可能に構成したが、通信用接点２０６（図２参照）のうち、撮影レンズ１０１側とカメラ本体１０２側の１対の接点のうち、撮影レンズ１０１側の接点を図７の接点７０２に置き換え、カメラ本体１０２側の接点を接点７０３に置き換えてもよい。このような構成により、構成を簡単にすることができる。
【００５９】
（第３の実施形態）
【００６０】
次に、本発明の第３の実施形態について説明する。本実施形態の説明においては、第２の実施形態と同様の動作及び制御については説明を省略、又は詳細な説明を省略し、異なる部分を中心に説明することにする。
【００６１】
第２の実施形態においては、撮影レンズ１０１がカメラ本体１０２から取り外されたことを直接的に検出するために、図７に示す様な新たな構成を付加した。これに対して、本実施形態においては、撮影レンズ１０１とカメラ本体１０２との通信機能を利用して、撮影レンズ１０１がカメラ本体１０２から取り外されたことを検出する点が、第２の実施形態と異なっている。
【００６２】
図９に、撮影レンズ１０１（ＤＳＬレンズ）をカメラ本体１０２（ＤＳＬ本体）から取り外すときの本実施形態の動作の流れを示す。図９の動作は、特に明示しない限り、カメラ制御部１０８に内蔵されたＲＯＭに記憶されたプログラムに基づいてカメラ制御部１０８により統括的に制御されるものである。
【００６３】
図９において、ステップＳ９０１の動作は、図８のステップＳ８０１について述べたのと同様であるので説明を省略する。ステップＳ９０２においてレンズ通信が可能か否かを判断する。これは、通信用接点２０６を介して、カメラ制御部１０８から撮影レンズ１０１に対して所定の指示信号を送信して、その指示信号に対して撮影レンズ１０１から所定の応答信号が得られたか否かによって判断する。ステップＳ９０２において、カメラ制御部１０８によりレンズ通信が可能と判断されたときは、撮影レンズ１０１はカメラ本体１０２に装着されたままの状態であるので、ステップＳ９０１に戻り同様の動作を繰り返し実行する。ステップＳ９０２においてレンズ通信が不可能と判断されたときは、次にステップＳ９０３以降の処理を実行する。なお、ステップＳ９０３〜ステップＳ９０６の動作は、図８のステップＳ８０３〜ステップＳ８０６の動作と同様であるので省略する。
【００６４】
なお、図９においてステップＳ９０２〜ステップＳ９０５は、収差補正が施された画像（第２画像）の表示から収差補正される前の画像（第１画像）の表示に切り換えても、この切り換えの前後で画像の変化がユーザーによって認識されない程度に、収差補正される前の画像の結像状態が劣化したか否かを検出するものであるということができる。したがって、ステップＳ９０２〜ステップＳ９０５の動作に係わる本実施形態における通信用接点２０６、通信用接点２０６と接続される撮影レンズ１０１０側に設けられた接点、及びカメラ制御部１０８は撮影レンズ結像状態検出部に相当するものである。
【００６５】
本実施形態においては、撮影レンズ１０１とカメラ本体１０２との通信機能を利用して、撮影レンズ１０１がカメラ本体１０２から取り外されたことを検出する。そして、撮影レンズ１０１がカメラ本体１０２から取り外されたことを検出してから所定時間経過後に収差補正処理を終了するので、きわめて簡単な構成により、ユーザーに対してカメラが故障をしたものとの誤解を与えない動画像表示を行なうカメラを提供することができる。
【００６６】
なお、本発明は上述した実施形態に限定されるものではなく、実施段階ではその要旨を逸脱しない範囲で構成要素を変形して具体化することもできる。また、上記実施形態に開示されている複数の構成要素の適宜な組み合わせにより、種々の発明を形成することもできる。さらに異なる実施形態にわたる構成要素を適宜組み合わせてもよい。このように、発明の趣旨を逸脱しない範囲において種々の変形や応用が可能である。
【符号の説明】
【００６７】
１００…カメラ
１０１…撮影レンズ（ＤＳＬレンズ）
１０２…カメラ本体（ＤＳＬ本体）
１０３…ズームレンズ
１０４…絞り
１０５…フォーカスレンズ
１０６…レンズ／絞り駆動部
１０７…レンズ情報記憶部
１０８…カメラ制御部
１０９…レンズ着脱ボタン連動スイッチ
１１０…撮影レンズ検出部
１１１…カメラ操作部
１１２…シャッタ
１１３…撮像部
１１４…ＡＦ処理部
１１５…収差補正処理部
１１６…画像処理部
１１７…ＨＤＭＩ（High-Definition Multimedia Interface）
１１８…ＨＤＴＶ（High-Definition ＴＶ）
１１９…表示部
１２０…背面液晶
１２１…ＥＶＦ（Electric View Finder）
１２２…メモリカード
２０１…レリーズボタン
２０２…フラッシュ
２０３…ボディマウント
２０４…レンズ着脱ボタン
２０５…レンズ着脱ピン
２０６…通信用接点
３０１、３０４…バネ
３０２、３０５…ガイド板
３０３、３０５…前板
３０６…レンズマウント
３０７…位置決め凹部
３０８、７０１、７０５、７０６…抵抗
７０２、７０３…接点
【図１】
2011049826.tif 000003
【図２】
2011049826.tif 000004
【図３】
2011049826.tif 000005
【図４】
2011049826.tif 000006
【図５】
2011049826.tif 000007
【図６】
2011049826.tif 000008
【図７】
2011049826.tif 000009
【図８】
2011049826.tif 000010
【図９】
2011049826.tif 000011
【図１０】
2011049826.tif 000012
【図１１】
2011049826.tif 000013
【図１２】
2011049826.tif 000014